(57)【要約】【課題】取付対象物が壁部に沿った設置状態を、手間を掛けずに維持できるようにする。【解決手段】取付対象物１を壁部Ｗに沿う状態に取り付ける取付ユニットであって、壁部Ｗに取り付けられる第１取付片Ｕ１と、取付対象物１に取り付けられた状態で第１取付片Ｕ１に係止可能な第２取付片Ｕ２と、を備え、第１取付片Ｕ１に載置部Ｃａを備えると共に、第２取付片Ｕ２に、載置部Ｃａに載置される被載置部Ｃｂを備え、載置部Ｃａと被載置部Ｃｂとの少なくとも一方は、取付対象物１の重量の作用で被載置部Ｃｂを壁部Ｗ側へ誘導する誘導傾斜部Ｄを備えている。【選択図】図３
2018017071.tif 000002
【特許請求の範囲】
【請求項１】
取付対象物を壁部に沿う状態に取り付ける取付ユニットであって、
前記壁部に取り付けられる第１取付片と、
前記取付対象物に取り付けられた状態で前記第１取付片に係止可能な第２取付片と、を備え、
前記第１取付片に載置部を備えると共に、前記第２取付片に、前記載置部に載置される被載置部を備え、
前記載置部と前記被載置部との少なくとも一方は、前記取付対象物の重量の作用で前記被載置部を前記壁部側へ誘導する誘導傾斜部を備えている取付ユニット。
【請求項２】
前記第１取付片は、前記壁部に対して縦向き横向きの二つの取付姿勢に取付可能であると共に
、前記二つの取付姿勢に対応する二つの載置部を備えており、
前記二つの載置部に、前記誘導傾斜部がそれぞれ設けられている請求項１に記載の取付ユニット。
【請求項３】
前記第１取付片は、前記第２取付片の先端部を挿入自在な挿入部を備え、
前記二つの載置部は、前記挿入部の内周面と、前記挿入部における挿入方向の端面にそれぞれ備えられている請求項２に記載の取付ユニット。
【請求項４】
前記第２取付片の先端部は、フック形状であり、
前記第１取付片は、前記第２取付片のフック部を挿入自在な挿入部を備え、
前記挿入部に挿入された前記フック部の抜け出しを阻止する抜止機構が備えられている請求項１〜３の何れか一項に記載の取付ユニット。
【発明の詳細な説明】
【技術分野】
【０００１】
本発明は、取付対象物（例えば、壁掛け用ボードや、壁掛け用スノコ等）を壁部に沿う状態に取り付ける取付ユニットに関する。
【背景技術】
【０００２】
従来、この種の取付ユニットとしては、壁部に螺着されるネジ付Ｌ字形フック部材（第１取付片に相当）と、取付対象物に取り付けられた状態で前記第１取付片に係止可能なネジ付環状フック部材（第２取付片に相当）と、を備えているものがあった（例えば、特許文献１参照）。
ネジ付Ｌ字形フック部材は、直線状の軸部の一端部に鍔状部を介したネジ部を備え、軸部の他端部に直角に折れ曲ったフック部を備えて構成してあり、鍔状部が壁部表面に接触するまでネジ部を壁部に螺着することで、軸部が壁部に垂直な姿勢となって設置される。また、この時には、フック部が軸部から上方に折れ曲がった姿勢となるように取り付けられる。
ネジ付環状フック部材は、直線状の軸部の一端部にネジ部を備え、軸部の他端部に環状の係止部を備えて構成してあり、取付対象物の上縁部に、軸部が縦姿勢となるように螺着し、上端の係止部を、ネジ付Ｌ字形フック部材のフック部から軸部に外嵌させて係止させることで、取付対象物を壁部に取り付けることができる。
よって、取付対象物の重量は、ネジ付環状フック部材の係止部の内周部（被載置部に相当）から、ネジ付Ｌ字形フック部材の軸部の外周部（載置部に相当）を経由して、壁部で支持される。
【先行技術文献】
【特許文献】
【０００３】
【特許文献１】実用新案登録第３１１９７３５号公報（段落番号〔００１９〕、図２）
【発明の概要】
【発明が解決しようとする課題】
【０００４】
上述した従来の取付ユニットによれば、ネジ付Ｌ字形フック部材は、軸部が壁部に垂直な取付姿勢となるように構成されているから、ネジ付Ｌ字形フック部材に係止させたネジ付環状フック部材は、ネジ付Ｌ字形フック部材の長手方向に沿って自由に移動することが可能な状態で係止されることになる。
従って、壁部に対して隙間なく沿う状態に取付対象物を設置したとしても、壁部から離間する方向への外力が取付対象物に作用すると、ネジ付Ｌ字形フック部材の軸部上を、ネジ付環状フック部材が簡単に移動する虞がある。その結果、取付対象物が、壁部の表面から浮き上がった不安定な設置状態となったり、取付対象物の設置状態の美観性が低下する心配がある。
これを防止するには、常に設置状態を監視しておき、上述のように浮いた状態となったら直ちに取付対象物を壁部側に押し付けて元の状態に戻す必要があることから、従来の取付ユニットによれば、メンテナンスに手間が掛かる問題がある。
【０００５】
従って、本発明の目的は、上記問題点を解消し、取付対象物が壁部に沿う設置状態を、手間を掛けずに維持できる取付ユニットを提供するところにある。
【課題を解決するための手段】
【０００６】
本発明の特徴は、取付対象物を壁部に沿う状態に取り付ける取付ユニットであって、前記壁部に取り付けられる第１取付片と、前記取付対象物に取り付けられた状態で前記第１取付片に係止可能な第２取付片と、を備え、前記第１取付片に載置部を備えると共に、前記第２取付片に、前記載置部に載置される被載置部を備え、前記載置部と前記被載置部との少なくとも一方は、前記取付対象物の重量の作用で前記被載置部を前記壁部側へ誘導する誘導傾斜部を備えているところにある。
【０００７】
本発明によれば、取付対象物に取り付けられた第２取付片の被載置部を、壁部に取り付けられた第１取付片の載置部によって受け止めることができ、これら第１取付片と第２取付片との係止によって、取付対象物を壁部に取り付けることができる。
そして、取付対象物の重量が、被載置部から載置部へ作用するに伴って、誘導傾斜部による誘導作用で、被載置部を壁部側へ誘導することができる。
即ち、第１取付片と第２取付片とを係止させるだけの操作で、取付対象物を壁部側へ誘導することができ、取付対象物が壁部に自動的に沿うように設置することが可能となる。
その結果、安定した状態に取付対象物を取り付けることができると共に、従来のように、取付対象物が壁部から浮き上がることによる設置状態での美観性の低下や、メンテナンスに手間が掛かるといった問題点を、未然に防止することができるようになる。
尚、誘導傾斜部は、載置部と被載置部との何れか一方、又は、何れにも備えていてもよい。
【０００８】
本発明においては、前記第１取付片は、前記壁部に対して縦向き横向きの二つの取付姿勢に取付可能であると共に、前記二つの取付姿勢に対応する二つの載置部を備えており、前記二つの載置部に、前記誘導傾斜部がそれぞれ設けられていると好適である。
【０００９】
本構成によれば、第１取付片を、壁部に対して縦向き横向きの二つの取付姿勢に取付可能であるから、壁部に対する取付対象物の取付姿勢に合わせて、良好な係止状態を維持できるように、第１取付片の取付姿勢を選択することができる。
これは、特に、取付対象物が縦横の方向性を備えているような場合に、縦向き横向きの何れの取付形態にも前記第１取付片が対応できるようになり、汎用性が向上する。
【００１０】
本発明においては、前記第１取付片は、前記第２取付片の先端部を挿入自在な挿入部を備え、前記二つの載置部は、前記挿入部の内周面と、前記挿入部における挿入方向の端面にそれぞれ備えられていると好適である。
【００１１】
本構成によれば、第２取付片の先端部を挿入自在な挿入部を利用しながら、その挿入部に二つの載置部を、各別に設けることができ、部材の集約化によって生産性の向上や、コストダウンを図ることができる。また、部品点数の減少化によって、部品管理の簡素化や、取扱性の向上をも図ることができる。
【００１２】
本発明においては、前記第２取付片の先端部は、フック形状であり、前記第１取付片は、前記第２取付片のフック部を挿入自在な挿入部を備え、前記挿入部に挿入された前記フック部の抜け出しを阻止する抜止機構が備えられていると好適である。
【００１３】
本構成によれば、第１取付片と第２取付片との係止操作は、第１取付片の挿入部に、第２取付片のフック部を挿入するだけの簡単な操作によって実現でき、しかも、抜止機構が備えられているから、フック部が不用意に挿入部から抜けるのを防止でき、第１取付片と第２取付片との係止状態の維持を図ることができる。
【図面の簡単な説明】
【００１４】
【図１】スノコの表向きの横長配置による取付け状況を示す正面図である。
【図２】図１中のＩＩ−ＩＩ矢視図である。
【図３】図２中のＩＩＩ−ＩＩＩ矢視図である。
【図４】図２中のＩＶ−ＩＶ矢視図である。
【図５】スノコの表向きの横長配置による第１取付片と第２取付片との係止前の斜視図である。
【図６】スノコの表向きの縦長配置による取付け状況を示す正面図である。
【図７】図６中のＶＩＩ−ＶＩＩ矢視図である。
【図８】スノコの表向きの縦長配置による第１取付片と第２取付片との係止前の斜視図である。
【図９】スノコの裏向きの横長配置による取付け状況を示す正面図である。
【図１０】図９中のＸ−Ｘ矢視図である。
【図１１】図１０中のＸＩ−ＸＩ矢視図である。
【図１２】スノコの裏向きの横長配置による第１取付片と第２取付片との係止前の斜視図である。
【図１３】別実施形態のスノコの表向きの縦長配置による取付け状況を示す正面図である。
【図１４】別実施形態の取付ユニットの取付け状況を示す図１３中のＸＩＶ−ＸＩＶ矢視図である。
【発明を実施するための形態】
【００１５】
以下に本発明の実施の形態を図面に基づいて説明する。
【００１６】
図１〜１２は、本発明の取付ユニットの一実施形態を使用して、壁部Ｗに取付対象物の一例である木製のスノコ１を取り付けてある状況を示している。
【００１７】
壁部Ｗは、例えば、石膏ボードの表面に壁紙を貼付して構成してあり、石膏ボード用釘Ｋ等を使用して、当該取付ユニットＵの一部の部材を固定することができる（図２、図３、図７、図１０、図１１参照）。
【００１８】
スノコ１は、長方形形状に形成してあり、図に示すように、スノコ１の幅Ｘ方向に隙間ｓをあけて並設された複数の帯板形状の表面板１Ａと、各表面板１Ａの裏面にわたってスノコ１の長さＹ方向に間隔をあけて並設状態に固定された複数の桟１Ｂと、を備えて構成してある。
【００１９】
取付ユニットＵは、当該実施形態においては合成樹脂製のものを例に挙げて説明するものであり、図１、図６、図９に示すように、壁部Ｗに取り付けられる第１取付片Ｕ１と、スノコ１に取り付けられた状態で第１取付片Ｕ１に係止可能な第２取付片Ｕ２と、を備えて構成されている。
【００２０】
取付ユニットＵを使用した壁部Ｗへのスノコ１の取付形態は、横長配置（図１、図９参照）、縦長配置（図６参照）、更には、それら夫々の配置において表面板１Ａを表側とする表向き配置（図１、図６参照）、桟１Ｂを表側とする裏向き配置（図９参照）等が代表的なものとして挙げられる。勿論、横長配置と縦長配置との間の斜め配置も可能であるが、ここでは、上述の４つの配置について説明する。
尚、配置によっては、異なった仕様の取付ユニットＵを一部に用いる場合があり、以下に、それぞれの配置毎に、詳しく説明する。
【００２１】
［表向きの横長配置についての説明］
第１取付片Ｕ１は、図２〜５に示すように、壁部Ｗへの取付部となる二つの壁当接部２と、壁当接部２間に前記第２取付片Ｕ２の先端部を挿入自在な挿入部Ｎを確保すると共に両壁当接部２どうしを繋ぐ断面「Ｕ」字形状の本体部３と、を一体に備えて構成してある。
当該取付形態においては、第１取付片Ｕ１は、スノコ１の上縁側における左右二箇所に対応する壁部Ｗにそれぞれ取り付けられ（図１参照）、各第１取付片Ｕ１は、二つの壁当接部２が壁部Ｗの壁面上で、左右方向に位置する横向き姿勢に取り付けられる。
【００２２】
壁当接部２には、中央部分に、石膏ボード用釘Ｋをセット可能な座繰り部２ａと、座繰り部２ａの中央部に形成された石膏ボード用釘Ｋ通過用の貫通孔２ｂとがそれぞれ設けてある。
因みに、石膏ボード用釘Ｋは、公知の製品であり、例えば、３本の釘Ｋａと、それら釘Ｋａを異なる３方向に向けて打ち込めるように保持する保持体Ｋｂと、釘Ｋａを打ち込んだ後の保持体Ｋｂを覆うキャップＫｃとを備えたものがあり、壁部Ｗ内で、各釘Ｋａが３方向に拡がる状態で設置されるから抜け難い状態で固定できる。
【００２３】
本体部３は、両壁当接部２の端部からそれぞれ屈曲して壁部Ｗから離間する方向に突出する一対の側壁部３Ａと、一対の側壁部３Ａの突出先端部にわたる前壁部３Ｂとを備えて構成してある。前記挿入部Ｎは、前記一対の側壁部３Ａと、前壁部３Ｂとで囲まれた部分に構成され、壁当接部２を壁部Ｗに取り付けると、挿入部Ｎの両端部が開口した空間が形成され、この開口を通して前記第２取付片Ｕ２の先端部を挿入部Ｎに挿通させて係止することができる（図４参照）。
【００２４】
一対の側壁部３Ａは、前記挿入部Ｎに対する第２取付片Ｕ２の挿入方向Ｎａに沿う長さ寸法Ｌ１が、壁当接部２側より前壁部３Ｂ側にかけて漸次拡大するように形成してある。
従って、側壁部３Ａにおける前記挿入方向Ｎａの両端面３Ａａ（挿入部Ｎにおける挿入方向の端面に相当）どうしは、壁部Ｗから離れるほど、互いが離間する傾斜面として構成されている。
また、一対の側壁部３Ａの対向面３Ａｂ（挿入部Ｎの内周面に相当）どうしは、壁部Ｗから離れるほど、互いが近接する傾斜面として構成されている。
【００２５】
第２取付片Ｕ２は、図４、図５に示すように、スノコ１の桟１Ｂの側面１Ｂａへの取付部となる桟当接部４と、桟当接部４と平行な位置にあって第１取付片Ｕ１の挿入部Ｎに挿入して係止させる先端挿入部（第２取付片Ｕ２の先端部に相当）５と、桟当接部４の中央部と先端挿入部５の中央部とをつなぐ連結部６と、を一体に備えた断面「Ｈ」字形状の部材として構成してある。
【００２６】
桟当接部４は、長手方向での両端側に、ビス挿通穴４ａを形成してあり、このビス挿通穴４ａにビスＭを挿通して桟１Ｂに捻じ込むことでスノコ１へ第２取付片Ｕ２を固定することができる（図２参照）。
ビス挿通穴４ａは、ビスＭの螺進操作の際に先端挿入部５の存在が障害とならないように、図２に示すように、穴軸芯Ｚが傾斜するように形成してある。
また、それに伴って、桟当接部４における先端挿入部５側を向く表面４ｂも傾斜面として形成してある。更には、先端挿入部５の横断面幅寸法も、桟当接部４よりも小さく設定されている。
【００２７】
先端挿入部５は、連結部６から屈曲して突出したフック形状のフック部５Ａが、連結部６の両側方に配置された形状であり、連結部６との連結箇所からフック部５Ａの先端部までの長さ寸法Ｌ２が、第１取付片Ｕ１の側壁部３Ａにおける前記長さ寸法Ｌ１より長くなるように寸法設定してある。また、先端挿入部５の端部外周面には、突起（抜止機構の一例）５ａが設けてある。この突起５ａによれば、第１取付片Ｕ１の挿入部Ｎに挿入した先端挿入部５が、抜け出す方向に移動した場合に、突起５ａが前記側壁部３Ａの端面３Ａａに引っ掛かることで抜け止めを図ることが可能となる。
【００２８】
壁部Ｗへのスノコ１の取り付けは、壁部Ｗに取り付けた第１取付片Ｕ１の挿入部Ｎの上部開口に、第２取付片Ｕ２の先端挿入部５が位置するようにスノコ１を配置し、そのまま下降させることで実施でき、挿入部Ｎ内に先端挿入部５が進入して、取付ユニットＵを係止状態にできる。
その際、第２取付片Ｕ２の連結部（被載置部Ｃｂの一例）６が、第１取付片Ｕ１の側壁部３Ａにおける上側の端面（載置部Ｃａの一例）３Ａａに当接して載置状態となる。
尚、連結部６は、先端挿入部５側よりも基端側となる桟当接部４側の方を、大きな断面積となるように形成されており、先端挿入部５への外力の作用に伴う基端側での曲げモーメントに対する耐力アップが図られている。
【００２９】
当該実施形態においては、第１取付片Ｕ１の前記端面３Ａａが、壁部Ｗ側へ下る傾斜面として構成されているから、スノコ１の重量の作用で連結部６を壁部Ｗ側へ自動的に誘導することができ、余分な手間を掛けずに、スノコ１を、壁部Ｗに沿う状態に安定的に取り付けることができる。
即ち、当該実施形態においては、側壁部３Ａにおける上側の前記端面３Ａａで誘導傾斜部Ｄが構成されている。尚、後述する［表向きの縦長配置］の場合には、同じ第１取付片Ｕ１の側壁部３Ａにおける下側の対向面３Ａｂで誘導傾斜部Ｄが構成されている。即ち、これら二つの誘導傾斜部Ｄは、隣り合って直交する面３Ａａ，３Ａｂにそれぞれ設けられている。
【００３０】
［表向きの縦長配置についての説明］
図６に示すように、前記表向き配置にしたスノコ１を縦長配置で壁部Ｗに取り付けるもので、スノコ１の表面板１Ａは、縦姿勢となり、その裏面側（壁部Ｗ側）に位置する桟１Ｂは、横姿勢となる。
また、使用する取付ユニットＵは、第１取付片Ｕ１、及び、第２取付片Ｕ２の何れも、先の［表向きの横長配置についての説明］で記載したものと同様で、スノコ１の上縁部においてスノコの幅Ｘ方向に間隔をあけた２箇所に配置されている。
尚、先の取付形態の場合と共通する構成に関しては、以下の説明を割愛する。
【００３１】
第１取付片Ｕ１は、図６〜８に示すように、二つの壁当接部２が壁部の壁面上で、上下方向に位置する縦向き姿勢で取り付けられる。
従って、挿入部Ｎの開口は、左右にそれぞれ位置しており、挿入方向Ｎａは、壁部Ｗに対する正面視において横向きに設定されている。
挿入部Ｎに挿通された第２取付片Ｕ２は、前記一対の側壁部３Ａのうち、下側に位置する前記対向面３Ａｂの上に載置される。従って、この下側に位置する対向面３Ａｂが、載置部Ｃａとなる。
【００３２】
第２取付片Ｕ２は、図７に示すように、スノコ１の桟１Ｂの下側を向く側面１Ｂａに、桟当接部４がビスＭで固定されている。即ち、断面「Ｈ」字形状が、９０°回転した状態で固定されている。
【００３３】
壁部Ｗへのスノコ１の取り付けは、壁部Ｗに取り付けた第１取付片Ｕ１の挿入部Ｎの横開口に、第２取付片Ｕ２の先端挿入部５が位置するようにスノコ１を配置し、そのまま挿入方向Ｎａに沿って横移動させることで実施でき、挿入部Ｎ内に先端挿入部５が進入して、取付ユニットＵを係止状態にできる。
その際、第２取付片Ｕ２の先端挿入部（被載置部Ｃｂの一例）５が、第１取付片Ｕ１の側壁部３Ａにおける下側の前記対向面（載置部Ｃａの一例）３Ａｂに当接して載置状態となる。
【００３４】
当該実施形態においては、第１取付片Ｕ１の前記対向面３Ａｂが、壁部Ｗ側へ下る傾斜面として構成されているから、スノコ１の重量の作用で先端挿入部５を壁部Ｗ側へ自動的に誘導することができ、余分な手間を掛けずに、スノコ１を、壁部Ｗに沿う状態に安定的に取り付けることができる。
即ち、当該実施形態においては、下側の前記対向面３Ａｂで誘導傾斜部Ｄが構成されている。
また、挿入部Ｎからの先端挿入部５の抜け出しに対しては、突起５ａが前記側壁部３Ａの端面３Ａａに引っ掛かることで抜止機能を発揮できる。
【００３５】
［裏向きの横長配置についての説明］
図９に示すように、前記裏向き配置にしたスノコ１を横長配置で壁部Ｗに取り付けるもので、スノコ１の桟１Ｂは、縦姿勢となり、その裏面側（壁部Ｗ側）に位置する表面板１Ａは、横姿勢となる。
また、使用する取付ユニットＵに関しては、第１取付片Ｕ１は、先に説明したものと同様のもので、第２取付片Ｕ２は、図１０〜１２に示すようなものを使用する。
【００３６】
第２取付片Ｕ２は、図１１に示すように、スノコ１の表面板１Ａの表面１Ａａへの取付部となる表板当接部７と、表板当接部７の端部から表面板１Ａに離間する斜め下方に屈曲する傾斜屈曲部８と、傾斜屈曲部８の先端部から表面板１Ａと平行に下方に延びる先端挿入部（第２取付片Ｕ２の先端部に相当）９と、を一体に備えて構成してある。
【００３７】
表板当接部７は、中央部分にビス挿通穴７ａを形成してあり、このビス挿通穴４ａにビスＭを挿通して桟１Ｂに捻じ込むことでスノコ１へ第２取付片Ｕ２を固定することができる（図１０、図１１参照）。
【００３８】
壁部Ｗへのスノコ１の取り付けは、壁部Ｗに取り付けた第１取付片Ｕ１の挿入部Ｎの上部開口に、第２取付片Ｕ２の先端挿入部９が位置するようにスノコ１を配置し、そのまま加工させることで実施でき、挿入部Ｎ内に先端挿入部９が進入して、取付ユニットＵを係止状態にできる。
その際、第２取付片Ｕ２の傾斜屈曲部（被載置部Ｃｂの一例）８が、第１取付片Ｕ１の前壁部３Ｂにおける上側の端縁部（載置部Ｃａの一例）３Ｂａに当接して載置状態となる。
【００３９】
当該実施形態においては、第２取付片Ｕ２の前記傾斜屈曲部８が、壁部Ｗ側へ下る傾斜面として構成されているから、スノコ１の重量の作用で先端挿入部９を壁部Ｗ側へ自動的に誘導することができ、余分な手間を掛けずに、スノコ１を、壁部Ｗに沿う状態に安定的に取り付けることができる。
即ち、当該実施形態においては、前記傾斜屈曲部８で誘導傾斜部Ｄが構成されている。
尚、スノコ１の上縁部と壁部Ｗとの間には、取付ユニットＵが存在していることで隙間が形成されるから、スノコ１の下縁部には、この隙間寸法に相当する高さのスペーサ部材１０が設けられ、スノコ１の全体にわたって、壁部Ｗとの離間寸法が一定となるように構成されている。
【００４０】
［裏向きの縦長配置についての説明］
この取付形態に関しては、先の［裏向きの横長配置についての説明］の場合とスノコ１の配置が替わるだけで、取付ユニットＵの構成、及び、取付姿勢等は、同様であるため、説明を割愛する。
【００４１】
以上説明したように、本発明に係る取付ユニットＵによれば、スノコ１を壁部Ｗに取り付ける上で、第１取付片Ｕ１に第２取付片Ｕ２を係止させるだけの簡単な操作を行うだけで、スノコ１を壁部Ｗ側へ自動的に誘導することができ、壁部Ｗにスノコ１が沿う姿勢に安定的に取り付けることができる。
また、スノコ１の複数の取付形態にも対応することができる。
更には、市販のスノコ１の場合、寸法規格が一定でない場合があり、そのような場合においても、取付ユニットＵの取付姿勢や取付位置を対象とするスノコ１の状況に合うように調整するだけで、上述の同様の効果を発揮することが可能となる。
【００４２】
〔別実施形態〕
以下に他の実施の形態を説明する。
【００４３】
〈１〉  取付対象物１は、先の実施形態で説明したスノコに限るものではなく、例えば、表面板１Ａや桟１Ｂの数や形状や寸法等、適宜、変更が可能である。
また、取付対象物１は、スノコ以外にも、例えば、壁掛け用の各種ボードやパネルや額縁等であってもよい。
また、壁部Ｗは、先の実施形態で説明した石膏ボード製の構成に限るものではなく、他のボード類や、コンクリート製や、塗り壁等であってもよい。
【００４４】
〈２〉  第１取付片Ｕ１や第２取付片Ｕ２は、先の実施形態で説明した材質や形状に限るものではなく、例えば、素材としては、合成樹脂に替えて金属であってもよく、適宜、変更が可能である。特に、第２取付片Ｕ２に関しては、断面「Ｈ」字形状に限るものではなく、例えば、断面「Ｃ」字形状等の形状であってもよい。
また、第１取付片Ｕ１における載置部Ｃａの位置や形状や数、及び、第２取付片Ｕ２における被載置部Ｃｂの位置や形状や数は、適宜、変更が可能である。
従って、例えば、第１取付片Ｕ１に、縦向き横向きの取付姿勢に対応する二つの載置部Ｃａを備えたもの以外に、一つの載置部Ｃａのみを備えたものであってもよい。
【００４５】
また、一つの第１取付片Ｕ１に、縦向き横向きの取付姿勢に対応する二つの載置部Ｃａを備えるにあたって、一つは、先の実施形態で説明した前記端面３Ａａに形成し、他の一つは、前記側壁部３Ａに、第２取付片Ｕ２の先端挿入部５を挿入自在な貫通孔を形成して、その貫通孔の内周面に形成してもよい。この形態の取付ユニットＵによれば、壁部Ｗに横向き（又は縦向き）姿勢で第１取付片Ｕ１を取り付けた状態で、取付対象物１を横長配置でも縦長配置でも取り付けることが可能となり、取付手間を軽減することができる。
【００４６】
また、一つの第１取付片Ｕ１に、一つの挿入部Ｎを備えたもの以外に、挿入方向Ｎａが直交する二つの挿入部Ｎを各別に備えたものであってもよい。
【００４７】
〈３〉  誘導傾斜部Ｄは、先の実施形態で説明した載置部Ｃａに備える構成に限るものではなく、被載置部Ｃｂに備えていたり、載置部Ｃａと被載置部Ｃｂとの何れにも備えていてもよい。
【００４８】
〈４〉  壁部Ｗと取付対象物１とに対する取付ユニットＵの取付け状況は、先の実施形態で説明した状況に限らず、例えば、二つの取付ユニットＵを使用した形態に限らず、三つ以上の複数の取付ユニットＵを使用して取り付けるものであってもよい。
また、取付対象物１の上縁部に取付ユニットＵを設置すること以外に、例えば、図１３に示すように、下縁部にも取付ユニットＵを設置してもよい。
また、第２取付片Ｕ２は、桟１Ｂの一方側、他方側の何れの側面に取り付けるものであってもよく、例えば、図１４に示すように、スノコ１の縦長配置の場合においては、桟１Ｂの上面となる側面１Ｂａに取り付けてあってもよい。勿論、スノコ１の横長配置の場合においても同様で、桟１Ｂの何れの側面に取り付けてあってもよい。
但し、図７に示すように桟１Ｂの下面に第２取付片Ｕ２を取り付ける場合は、スノコ１の重量が、ビスＭの引抜力としては作用しないから、図１４のように桟１Ｂの上面に第２取付片Ｕ２を取り付ける場合に比較して、ビスＭが抜け難いという効果があり、ビス抜け防止の観点において好ましい。
【００４９】
〈５〉  前記スノコ１の裏向き取付けの形態においては、先の実施形態で説明した第１取付片Ｕ１と第２取付片Ｕ２との部材を、互いに入れ替えた構成であってもよい。
即ち、先の実施形態で説明した第２取付片Ｕ２の上下反転姿勢にしたものを第１取付片Ｕ１として壁部Ｗに取り付け、先の実施形態で説明した第１取付片Ｕ１を、第２取付片Ｕ２としてスノコ１の表面板１Ａに取り付けてあってもよい。
【００５０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５１】
当該取付ユニットは、板状の取付対象物以外にも、箱状や塊状やフレーム状や、又は、剥製等の立体状の取付対象物を壁部に取り付けるのに利用することができる。
【符号の説明】
【００５２】
１      スノコ（取付対象物の一例）
３Ａａ  端面（挿入部Ｎにおける挿入方向の端面に相当）
３Ａｂ  対向面（挿入部Ｎの内周面に相当）
５      先端挿入部（第２取付片Ｕ２の先端部に相当）
５Ａ    フック部
５ａ    突起（抜止機構の一例）
９      先端挿入部（第２取付片Ｕ２の先端部に相当）
Ｃａ    載置部
Ｃｂ    被載置部
Ｄ      誘導傾斜部
Ｎ      挿入部
Ｕ１    第１取付片
Ｕ２    第２取付片
Ｗ      壁部
【図１】
2018017071.tif 000003
【図２】
2018017071.tif 000004
【図３】
2018017071.tif 000005
【図４】
2018017071.tif 000006
【図５】
2018017071.tif 000007
【図６】
2018017071.tif 000008
【図７】
2018017071.tif 000009
【図８】
2018017071.tif 000010
【図９】
2018017071.tif 000011
【図１０】
2018017071.tif 000012
【図１１】
2018017071.tif 000013
【図１２】
2018017071.tif 000014
【図１３】
2018017071.tif 000015
【図１４】
2018017071.tif 000016